(57)【要約】【課題】ロール状物を密封でき、ホコリや湿気等からロール状物を保護することが可能で、また段ボール箱等に収納せずともそのまま運搬や保管の可能なロール状物保持具を提供する。【解決手段】板状部１Ａの内面の中央に帽筒状支持部２Ａを突設し、外面に補強リブ４Ａを設け、周縁に前記帽筒状支持部２Ａよりも長い壁部３Ａを立設してなる保持具片（Ａ）と、壁部が前記保持具片（Ａ）の壁部に嵌合する以外は同じ構成からなる保持具片（Ｂ）とからなることを特徴とする。【選択図】図１
2005029242.tif 000002
【特許請求の範囲】
【請求項１】
板状部の内面の中央に帽筒状支持部を突設し、外面に補強リブを設け、周縁に前記帽筒状支持部よりも長い壁部を立設してなる保持具片（Ａ）と、壁部が前記保持具片（Ａ）の壁部に嵌合する以外は同じ構成からなる保持具片（Ｂ）とからなることを特徴とするロール状物保持具。
【請求項２】
板状部が方形状からなる請求項１記載のロール状物保持具。
【請求項３】
保持具片（Ａ）の壁部と保持具片（Ｂ）の壁部とが長さを異にする請求項１又は２記載のロール状物保持具。
【請求項４】
板状部に梱包用バンド溝を設けた請求項１〜３のいずれか１項に記載のロール状物保持具。
【請求項５】
樹脂製である請求項１〜４のいずれか１項に記載のロール状物保持具。
【請求項６】
樹脂が導電性樹脂である請求項５記載のロール状物保持具。
【請求項７】
請求項１〜６のいずれか１項に記載の保持具片（Ａ）、（Ｂ）の帽筒状支持部を、芯管に帯状物を巻回したロール状物の該芯管に両側から嵌入させたことを特徴とするロール状物保持構造。
【請求項８】
保持具片（Ａ）、（Ｂ）の壁部が互いに嵌合している請求項７記載のロール状物保持構造。
【請求項９】
保持具片（Ａ）、（Ｂ）の板状部の内面とロール状物の端面とが密着している請求項７又は８記載のロール状物保持構造。
【請求項１０】
保持具片（Ａ）、（Ｂ）の板状部の内面とロール状物の端面との空間部に緩衝材を充填してなる請求項７又は８記載のロール状物保持構造。
【発明の詳細な説明】
【技術分野】
【０００１】
本発明は、プラスチックフィルム等の帯状物、特に高級なドライレジストフィルム、プリント基板等の積層フィルム、立体模様を転写する転写フィルム、錦織等の織物、不織布、書画等を芯管に巻回してなるロール状物を輸送・保管するためのロール状物保持具及びロール状物保持構造に関し、更に詳しくは、ロール状物を密封でき、ホコリや湿気等からロール状物を保護することが可能で、段ボール箱等に収納せずともそのまま運搬や保管の可能なロール状物保持具及び該保持具を用いたロール状物保持構造に関する。
【背景技術】
【０００２】
従来より、プラスチックフィルム、プラスチックシート、紙などの主として比較的広幅の帯状物を輸送・保管する場合には、これらの帯状物を芯管（中空心部）に巻回してロール状物とし、輸送・保管中に帯状物が側方に竹の子状に滑り出すのを防止するため、該ロール状物に保持具（プロテクター）を組み付けて輸送・保管していた。
【０００３】
その一例として、ロール製品の端面を押さえる方形の基板部を設け、該基板部の裏面側の中央には、ロール製品の中空心部の中空孔に挿入可能に突設した円筒部からなり、且つ、該円筒部の内周に複数個の補強リブを軸方向に設けたロール製品支持用円筒部を設けると共に、基板部の裏面側の四角には、突設した三角形の断面形状を有する筒状体からなる段積み用脚部を、また、基板部の表面側の四角には、段積み用脚部の先端を挿入可能にした段積み用凹部とを設けた硬質剛性樹脂成形体から成るプロテクターが提案されている。さらに、基板部は正方形の板状体で形成され、その表側には溝形の断面形状を有し、且つ円筒部に連結して成る中央の環状部と基板部の正方形の周縁部とは、Ｔ字形の断面形状を有する複数の放射状リム部により連結されている（例えば、特許文献１参照）。
【特許文献１】実用新案登録第２６０４９０７号公報
【発明の開示】
【発明が解決しようとする課題】
【０００４】
上記従来のロール製品用プロテクターにおいては、使用しないときのプロテクターは、段積みして輸送したり、保管したりする際には、上段に積み重ねられるプロテクターの脚部先端を、下段プロテクターの基板部の表面側に設けた凹部に挿入することによって機械的に嵌合し、また必要に応じて、バンド溝に梱包用バンドを掛けて全体を緊締しておき、これによって、プロテクター同士のずれを防止できる、すなわち、荷崩れを防止できるという特徴がある。
【０００５】
また、上記構成のプロテクターをロール製品に適用する際には、一対のプロテクターの基板部裏面側でロール製品の両端面を押さえて狭持すると共に、円筒部をロール製品の中空心部の中空孔に挿入してロール製品を支持し、必要に応じて、バンド溝に２本の梱包用バンドを十字状に掛けて全体を緊締し保持具として利用される。
【０００６】
しかしながら、ロール製品の幅寸法によっては、左右一対のプロテクターの脚部の先端は互いに接することがあっても、嵌合不能の形状であり、したがって、プロテクターの円筒部とロール製品の中空心部とは互いに回動自在となり、梱包用バンドを掛けた後であっても左右一対のプロテクターの方形基板部の底辺は、相互にぐらついたりして梱包体としては不安定で取扱い難いものであった。
【０００７】
また、ロール製品はその軸方向（幅方向）についてはプロテクターの脚部で局部的に覆われているのみで、大部分は露出した状態にあるので、ホコリが付着したり、湿気に触れ、ロール製品の品質を低下させたり、更には、他の物と接触、衝突し、ロール製品を損傷する場合があった。そのため、特に高級なドライレジストフィルム、プリント基板等の積層フィルム、立体模様を転写する転写フィルム、錦織、西陣織等の織物、書画巻物等には不適当であった。
【０００８】
また、上記のようにロール製品の軸方向（幅方向）は殆ど露出しているため、段ボール箱等のケースに収納して運搬や保管せざるを得ず、従って、手間が掛り、高コストとならざるを得ないという問題を有していた。
【０００９】
本発明は、上記諸課題に鑑み、ロール製品を２つの保持具片（Ａ）、（Ｂ）で覆うことができ、また必要に応じて密封でき、ホコリや湿気、更には他の物との接触、衝突による損傷からロール製品を保護することを可能とし、更に、段ボール箱等に収納することなく、そのまま運搬や保管が可能な保持具を提供することを目的とする。
【課題を解決するための手段】
【００１０】
上記目的を達成するために、本発明の第１に係る請求項１は、板状部の内面の中央に帽筒状支持部を突設し、外面に補強リブを設け、周縁に前記帽筒状支持部よりも長い壁部を立設してなる保持具片（Ａ）と、壁部が前記保持具片（Ａ）の壁部に嵌合する以外は同じ構成からなる保持具片（Ｂ）とからなることを特徴とするロール状物保持具を内容とする。
【００１１】
本発明の請求項２は、板状部が方形状からなる請求項１記載のロール状物保持具である。
【００１２】
本発明の請求項３は、保持具片（Ａ）の壁部と保持具片（Ｂ）の壁部とが長さを異にする請求項１又は２記載のロール状物保持具である。
【００１３】
本発明の請求項４は、板状部に梱包用バンド溝を設けた請求項１〜３のいずれか１項に記載のロール状物保持具である。
【００１４】
本発明の請求項５は、樹脂製である請求項１〜４のいずれか１項に記載のロール状物保持具である。
【００１５】
本発明の請求項６は、樹脂が導電性樹脂である請求項５記載のロール状物保持具である。
【００１６】
本発明の請求項７は、請求項１〜６のいずれか１項に記載の保持具片（Ａ）、（Ｂ）の帽筒状支持部を、芯管に帯状物を巻回したロール状物の該芯管に両側から嵌入させたことを特徴とするロール状物保持構造である。
【００１７】
本発明の請求項８は、保持具片（Ａ）、（Ｂ）の壁部が互いに嵌合している請求項７記載のロール状物保持構造である。
【００１８】
本発明の請求項９は、保持具片（Ａ）、（Ｂ）の板状部の内面とロール状物の端面とが密着している請求項７又は８記載のロール状物保持構造である。
【００１９】
本発明の請求項１０は、保持具片（Ａ）、（Ｂ）の板状部の内面とロール状物の端面との空間部に緩衝材を充填してなる請求項７又は８記載のロール状物保持構造である。
【発明の効果】
【００２０】
本発明のロール状物保持具は、板状部の内面の中央に帽筒状支持部を突設し、外面に補強リブを設け、周縁に前記帽筒状支持部よりも長い壁部を立設してなる保持具片（Ａ）と、壁部が前記保持具片（Ａ）の壁部に嵌合する以外は同じ構成からなる保持具片（Ｂ）とからなるので、保持具片（Ａ）、（Ｂ）の壁部を互いに嵌合させることができる。従って、ロール状物を両保持具片（Ａ）、（Ｂ）内に密封することが可能で、ホコリや湿気、更には他の物との接触、衝突による損傷からロール状物を完全に保護することが可能であり、更にまた、段ボール箱等に収納することなく、そのまま運搬や保管が可能となり、手間やコストを大幅に低減することができる。
【００２１】
また、板状部を方形状とすることにより、保持具片（Ａ）、（Ｂ）の壁部を互いに嵌合した際に回動することがなく、安定したロール状物の保持構造となり、運搬や保管も容易となる。
【００２２】
また、保持具片（Ａ）、（Ｂ）の壁の長さを異ならしめることにより、これらの保持具の組み合わせにより、広幅から狭幅までの幅の異なるロール状物を上記の如く安定した保持構造とすることができる。
【００２３】
また、板状部に梱包用バンド溝を設けておくことにより、一層安定した保持構造とすることができる。
【００２４】
また、本発明の保持具は、成形性、コスト等の面から樹脂製のものが好ましく、更には導電性樹脂製のものがホコリを付着させない点で好ましい。
【００２５】
さらに、保持具の板状部の内面とロール状物の端面とを密着させておくようにすれば、帯状物が側方に竹の子状に滑り出すのを防止することが可能となる。
【００２６】
さらにまた、ロール状物の幅が狭いために保持具の板状部の内面とロール状物の端面との間に空間部が生じるような場合には、該空間部に緩衝材を充填させることにより、帯状物が側方に竹の子状に滑り出すのを防止するとともに、運搬などの際の衝撃力による変形や損傷から帯状物を保護することが可能となる。
【発明を実施するための最良の形態】
【００２７】
以下、本発明のロール状物保持具及びロール状物保持構造の実施例を図面に基づいて説明するが、本発明はこれらにより何等限定されるものではない。
【００２８】
図１〜図３は、本発明の保持具を示すもので、図１は本発明の保持具を構成する保持具片（Ａ）、（Ｂ）の断面図、図２は保持具片（Ａ）の正面図、図３は同背面図である。
【００２９】
図１〜図３において、保持具片（Ａ）は板状部１Ａと、帽筒状支持部２Ａと、壁部３Ａとから構成されている。板状部１Ａの外面には補強リブ４Ａが放射状に形成され、縦、横十字状に梱包用バンド溝５Ａが形成され、更にバンド溝５Ａを除いて、前記補強リブ４Ａよりも僅かに高くした段積用リブ６Ａが立設されている。板状部１Ａの形状は特に制限されず、方形、多角形（例えば５〜８角形）、円形等が挙げられるが、水平状態に置いた際に不用意に転がらないという点からは、方形や多角形が好ましい。
【００３０】
帽筒状支持部２Ａは、板状部１Ａの中央部に内面側に向けて突設され、帽筒状支持部２Ａの裏側の頂部付近には補強リブ７Ａが４個設けられている。
【００３１】
壁部３Ａは、板状部１Ａの周縁に内面側に向けて立設されている。壁部３Ａは帽筒状支持部２Ａよりも長く設計される。
【００３２】
保持具片（Ａ）は、樹脂、金属等の材料で作られる。樹脂としては、ポリエチレン、ポリプロピレン等のオレフィン系樹脂、スチレン樹脂、アクリル樹脂、塩化ビニル樹脂、ポリアミド、ポリエステル、ＡＢＳ樹脂等の熱可塑性樹脂、フェノール樹脂、メラミン樹脂、エポキシ樹脂等の熱硬化性樹脂等が挙げられ、金属としては、鉄、アルミ、ステンレス等が挙げられるが、コスト、成形性等から熱可塑性樹脂の方が好ましい。また、導電性樹脂はホコリを寄せつけない点で特に好適である。
【００３３】
保持具片（Ｂ）は、図１に示すように、保持具片（Ｂ）の壁部３Ｂが保持具片（Ａ）の壁部３Ａと嵌合するように少し小さ目のサイズに設計されるとともに、段積用リブ６Ｂが保持具片（Ａ）の段積用リブ６Ａと嵌合するように形成されている他は、保持具片（Ａ）と同様の構成、材料からなる。
【００３４】
保持具片（Ａ）、（Ｂ）のサイズは特に制限されず、ロール状物のサイズを勘案して適宜決定すればよいが、一般には保持具にロール状物を保持させた状態で作業者が手で持ち運べる重量となるサイズが好ましく、かかる観点からは例えば、板状部１Ａ、１Ｂは１辺又は直径が２０〜７０cm程度が好ましい。また、帽筒状支持部２Ａ、２Ｂは、ロール状物の芯管中空部に嵌入し得る直径である必要があり、芯管中空部のサイズに応じて適宜決定される。また、帽筒状支持部２Ａ、２Ｂの突出長さは、芯管中空部内に嵌入してロール状物を十分に支持し得るように適宜決定されるが、嵌入作業性等からは通常２〜２０cm程度が好ましい。
【００３５】
更に、壁部３Ａ、３Ｂの立設長さも特に制限されず、ロール状物のサイズに応じて適宜決定すればよいが、通常、５〜３０cm程度が好ましい。保持具片（Ｂ）は、保持具片（Ａ）と嵌合し得るように、僅かに小さ目のサイズとすることは上記したとおりである。
また、保持具片（Ａ）、（Ｂ）の厚みも材質、サイズ、ロール状物の重量等を勘案して適宜決定すればよいが、通常、１〜５mm程度が好ましい。
【００３６】
尚、図では補強リブ４Ａ、４Ｂは放射状に形成されているが、これに限定されない。また、バンド溝５Ａ、５Ｂを画成するリブは、同時に補強リブの後割も果たす。更に、帽筒状支持部２Ａ、２Ｂの裏側の補強リブ７Ａ、７Ｂは省略してもよいし、また必要に応じ、支持部２Ａ、２Ｂの裏側の軸方向全長に亘って設けてもよい。また、補強リブの個数も特に制限されない。
【００３７】
上記のように、保持具片（Ｂ）の段積用リブ６Ｂは、保持具片（Ａ）の段積用リブ６Ａと嵌合するように設けられているので、保持具の不使用時又はロール状物を保持した構造とした際には、図４に示す如く、恰も重箱のように段積みでき、また、図５に示す如く、梱包用バンド溝５Ａ、５Ｂにバンド１４を掛けて緊締すれば運搬中や保管中においても荷崩れすることがなく、取り扱いも容易である。
【００３８】
次に、上記保持具を用いてロール状物を保持するには、図６に示すように、帯状物９を芯管８に巻回してなるロール状物１０の両端に組み付けられる。帯状物としては、プラスチックフィルム、プラスチックシート、金属箔、紙、布等の他、高級なドライレジストフィルム、プリント基板等の積層フィルム、立体模様等を転写する転写フィルム、錦織、西陣織等の織物、不織布、書画巻物やその複製物等が挙げられる。
【００３９】
即ち、ロール状物１０の芯管８の中空部内に、一方側には保持具片（Ａ）の帽筒状支持部２Ａを嵌入させ、他方側には保持具片（Ｂ）の帽筒状支持部２Ｂを嵌入させ、板状部１Ａ、１Ｂの内面とロール状物１０の端面とを密着させた状態で梱包用バンド溝５Ａ、５Ｂにバンド１４を掛けて全体を緊締して一体化する。尚、必要に応じ、横方向にもバンドが掛けられ緊締される。更に、必要に応じ、シュリンクフィルム、ストレッチフィルム等で被覆することもできる。
【００４０】
本例においては、保持具片（Ａ）の壁部３Ａと保持具片（Ｂ）の壁部３Ｂとは重箱の如く完全に嵌合しているので、極めて安定した保持構造が得られ、運搬中や保管中に側方に竹の子状に滑り出すのが防止されるとともに、ホコリや湿気の侵入は阻止され、また、ロール状物が他の物と接して損傷することも阻止される。
【００４１】
図７は、本発明の保持具を用いたロール状物の他の保持構造を示すもので、ロール状物１０の幅が比較的広く、保持具片（Ａ）、（Ｂ）の壁部３Ａ、３Ｂとは僅かな幅（２〜３cm）で嵌合している。本例では保持具片（Ａ）、（Ｂ）は全周を粘着テープ１１で一体化されており、上記図６のバンド掛けの場合に比べ、ホコリや湿気は一層効果的に阻止される。勿論、更にバンドを掛けて全体を緊締して一体化することも可能である。更に、必要に応じ、シュリンクフィルム、ストレッチフィルムで被覆することもできる。
【００４２】
図８は、本発明の保持具を用いたロール状物の更に他の保持構造を示すもので、ロール状物１０の幅が狭いため、保持具片（Ａ）、（Ｂ）の板状部１Ａ、１Ｂの内面とロール状物１０の端面との空間部に緩衝材１２を充填することにより、ロール状物１０の帯状物９が竹の子状に滑り出すのを防止している。尚、緩衝材１２としては特に制限されないが、例えば、プラスチック製の袋内にエアーを封入したエアークッション等が好適である。更に、必要に応じ、シュリンクフィルム、ストレッチフィルムで被覆することもできる。
【００４３】
図９は、本発明の保持具を用いたロール状物の別の保持構造を示し、本例では保持具片（Ａ）の壁部３Ａと保持具片（Ｂ）の壁部３Ｂの長さを異ならしめた例を示す。このように壁部３Ａ、３Ｂの長さを異にする保持具を準備し、適宜組み合わせることにより、狭幅から広幅までのロール状物に対応することができる。勿論、保持具片（Ａ）、（Ｂ）の板状部１Ａ、１Ｂとロール状物の端面との間に空間部が形成される場合は、図８で示したように、緩衝材を充填すればよい。更に、必要に応じ、シュリンクフィルム、ストレッチフィルム等で被覆することもできる。
【００４４】
図１０は、本発明の保持具を用いたロール状物の更に別の保持構造を示すもので、保持具片（Ａ）、（Ｂ）の壁部３Ａ、３Ｂの空間部にプラスチックシート（例えば、ポリプロピレンシート、厚み１mm）１３を巻き付けて粘着テープ１１で一体化した例を示す。更に、必要に応じ、シュリンクフィルム、ストレッチフィルム等で被覆することもできる。
【産業上の利用可能性】
【００４５】
叙上のとおり、本発明のロール状物保持具は、ロール状物を密封できるので、ホコリや湿気を阻止できるばかりでなく、他の物との接触や衝突によりロール状物が損傷するのを完全に防ぐことができる。従って、特にホコリや湿気を嫌うドライレジストフィルム、プリント基板等の積層フィルム、立体模様等を転写する転写フィルム、錦織、西陣織等の織物、書画巻物やその複製物等に有用である。
【００４６】
また、本発明の保持具によれば、ロール状物を密封でき且つ極めて安定した保持構造が実現されるため、別途段ボール箱等のケースに収納する必要がなく、そのまま運搬や保管ができ、従って作業性が大幅に向上するとともに、コストが大幅に低減される。
【図面の簡単な説明】
【００４７】
【図１】本発明の保持具片（Ａ）、（Ｂ）からなる保持具の実施例を示す断面図である。
【図２】保持具片（Ａ）の正面図である。
【図３】保持具片（Ａ）の背面図である。
【図４】保持具を段積みした状態を示す一部切り欠き側面図である。
【図５】保持具を段積みとバンドを掛けた状態を示す一部切り欠き側面図である。
【図６】本発明の保持具を用いてロール状物を保持した状態を示す断面図である。
【図７】本発明の保持具を用いてロール状物を保持した状態を示す断面図である。
【図８】本発明の保持具を用いてロール状物を保持した状態を示す断面図である。
【図９】本発明の保持具を用いてロール状物を保持した状態を示す断面図である。
【図１０】本発明の保持具を用いてロール状物を保持した状態を示す断面図である。
【符号の説明】
【００４８】
（Ａ）、（Ｂ）  保持具片
１Ａ、１Ｂ  板状部
２Ａ、２Ｂ  帽筒状支持部
３Ａ、３Ｂ  壁部
４Ａ、４Ｂ  補強リブ
５Ａ、５Ｂ  梱包用バンド溝
６Ａ、６Ｂ  段積用リブ
７Ａ、７Ｂ  補強リブ
８  芯管
９  帯状物
１０  ロール状物
１１  粘着テープ
１２  緩衝材
１３  プラスチックシート
１４  バンド
【図１】
2005029242.tif 000003
【図２】
2005029242.tif 000004
【図３】
2005029242.tif 000005
【図４】
2005029242.tif 000006
【図５】
2005029242.tif 000007
【図６】
2005029242.tif 000008
【図７】
2005029242.tif 000009
【図８】
2005029242.tif 000010
【図９】
2005029242.tif 000011
【図１０】
2005029242.tif 000012